(57)【要約】【課題】外観の偽造防止効果を高めながら廉価で製造でき、真偽判定を簡単な装置で明確に判別できる偽造防止用インキの使用による偽造防止策が施された磁気記録媒体の提供にある。【解決手段】基材９上に、磁性体を含む磁気層１０と、フレーク状の偏光性顔料を含む偏光性インキからなる偽造防止層１５とが積層されてなる偽造防止策が施された磁気記録媒体１において、前記偏光性顔料が入射した光のうち右回転の一部の偏光を反射する右偏光性顔料または入射した光のうち左回転の一部の偏光を反射する左偏光性顔料のいずれかである偽造防止策が施された磁気記録媒体１とするものである。【選択図】図２
2004358869.tif 000002
【特許請求の範囲】
【請求項１】
基材上に、磁性体を含む磁性インキからなる磁気層と印刷インキ用メジウムにフレーク状の偏光性顔料を含む偏光性インキからなる偽造防止層とが積層されてなる偽造防止策が施された磁気記録媒体において、前記偏光性顔料が入射した光のうち右回転の一部の偏光を反射する右偏光性顔料または入射した光のうち左回転の一部の偏光を反射する左偏光性顔料のいずれかであることを特徴とする偽造防止策が施された磁気記録媒体。
【請求項２】
基材上に、磁性体を含む磁性インキからなる磁気層と印刷インキ用メジウムにフレーク状の偏光性顔料を含む偏光性インキからなる偽造防止層とが積層されてなる偽造防止策が施された磁気記録媒体において、前記偏光性顔料が入射した光のうち右回転の一部の偏光を反射する右偏光性顔料と入射した光のうち左回転の一部の偏光を反射する左偏光性顔料が混合されており、かつこれらの顔料はお互いに異なる色相であることを特徴とする偽造防止策が施された磁気記録媒体。
【請求項３】
基材上に、磁性体を含む磁性インキからなる磁気層と印刷インキ用メジウムにフレーク状の偏光性顔料を含む偏光性インキからなる偽造防止層とが積層されてなる偽造防止策が施された磁気記録媒体において、前記偏光性顔料が入射した光のうち右回転の一部の偏光を反射する右偏光性顔料と入射した光のうち左回転の一部の偏光を反射する左偏光性顔料が混合されており、かつこれらの顔料はお互いに同じ色相であることを特徴とする偽造防止策が施された磁気記録媒体。
【請求項４】
上記右偏光性顔料がねじれ軸の回転方向が右巻きの右偏光コレステリック高分子液晶顔料であることを特徴とする請求項１乃至３のいずれか１項に記載の偽造防止策が施された磁気記録媒体。
【請求項５】
上記左偏光性顔料がねじれ軸の回転方向が左巻きの左偏光コレステリック高分子液晶顔料であることを特徴とする請求項１乃至３のいずれか１項に記載の偽造防止策が施された磁気記録媒体。
【請求項６】
上記磁気層と偽造防止層との間に有色系印刷層が施されていることを特徴とする請求項１乃至５のいずれか１項に記載の偽造防止策が施された磁気記録媒体。
【請求項７】
上記磁気層と偽造防止層との間に黒色系印刷層が施されていることを特徴とする請求項１乃至５のいずれか１項に記載の偽造防止策が施された磁気記録媒体。
【請求項８】
上記偽造防止層が文字または模様状に形成され、上記有色系印刷層が該偽造防止層と同じ文字または模様状に形成され、かつ偽造防止層及び有色系印刷層が同一箇所に重ねて形成されていることを特徴とする請求項１乃至６のいずれか１項に記載の偽造防止策が施された磁気記録媒体。
【請求項９】
上記模様状に形成された偽造防止層の模様が、模様状に形成された有色系印刷層の模様よりも一回り大きいものであることを特徴とする請求項８記載の偽造防止策が施された磁気記録媒体。
【請求項１０】
上記磁気層と偽造防止層とが、上記基材を挟むように互いに反対側に設けられていることを特徴とする請求項１乃至９のいずれか１項に記載の偽造防止策が施された磁気記録媒体。
【請求項１１】
上記磁気層と偽造防止層とが、上記基材に対し同じ側に少なくともこの順に積層されていることを特徴とする請求項１乃至９のいずれか１項に記載の偽造防止策が施された磁気記録媒体。
【発明の詳細な説明】
【０００１】
【発明の属する技術分野】
本発明は、磁性インキを基材上の全面または一部分、バーコード状などに塗布した磁気記録媒体に、複写機等による複写が不可能な隠し文字やパターンを表示させることが可能な偽造防止用インキを印刷した磁気記録媒体で、商品券、金券、切符、紙幣、パスポート、身分証明書、証券、カード等の偽造防止を必要とする商品に付加することができ、専用の磁気読み取り機にて磁気情報を読み取るとともに、簡便な検証媒体を用いて容易に真偽判定することができる偽造防止策が施された磁気記録媒体に関するものである。
【０００２】
【従来の技術】
従来の磁気記録媒体では、磁気情報の改竄やカードの複製による不正使用が問題となっていた。
これを解決する手段としては、例えばプリペイドカードなどでは磁気塗料をバーコード状に印刷した磁気バーコードとダミーのバーコードを組み合わせ、その上層に平坦加工を行い、更にその上層に隠蔽層を設けてセキュリティ性を付与したものがある（例えば、特許文献１参照。）。
また、上記の磁気バーコードの他に赤外線で検出可能な赤外線バーコードを組み合わせて更なる偽造防止策を施しているものもある（例えば、特許文献２参照。）。
一方、有価証券や商品券などにおける偽造防止策として、高分子コレステリック液晶を識別媒体として用いて目視もしくは光学機器によりその反射光を検出することにより偽造防止策としたものがある（例えば、特許文献３参照。）。
【０００３】
【特許文献１】
特許第２７８９７０３号公報
【特許文献２】
特開平５−２５４２８１号公報
【特許文献３】
特開２００２−１２７６４７号公報
【０００４】
【発明が解決しようとする課題】
しかし、上記のように磁気記録媒体の偽造防止策には磁気バーコードとダミーバーコードとを組み合わせたものや更に隠蔽加工して偽造防止効果を保持しているが、製造工程が複雑なため製造コストが嵩み、また、専用の磁気リーダーによって磁気記録情報を読み出さないと媒体の真偽判定ができないという欠点があった。
また、上記の赤外線域を利用し赤外光を吸収するインキにて画像を形成し、この上に前記画像を隠蔽し目視できないようにするとともに赤外線領域で光を透過する層を設けた潜像画像は、この潜像画像を表示させるために赤外線カメラ等が必要であり、装置的に大がかりとなるという問題がある。
さらにまた、可視光域では白色もしくは無色であるが赤外線域に吸収のあるインキ（ＩＶインキ）があるが、これも前記同様赤外線カメラ等が必要である。
以上、説明してきたように偽造防止効果を高めながら簡易な方法で真偽判定を可能とするために、本発明は、従来の磁気記録媒体が行ってき磁気記録方法や磁性インキの印刷方法などによる偽造防止策ではなく、外観の偽造防止効果を高めながら廉価で製造することができ、真正品と偽造品を簡単な装置を用いて明確に判別することができる偽造防止用インキを使用することにより偽造防止策が施された磁気記録媒体を提供することを課題とする。
【０００５】
【課題を解決するための手段】
本発明に於いて上記課題を達成するために、まず請求項１の発明では、基材上に、磁性体を含む磁性インキからなる磁気層と、印刷インキ用メジウムにフレーク状の偏光性顔料を含む偏光性インキからなる偽造防止層とが積層されてなる偽造防止策が施された磁気記録媒体において、前記偏光性顔料が入射した光のうち右回転の一部の偏光を反射する右偏光性顔料または入射した光のうち左回転の一部の偏光を反射する左偏光性顔料のいずれかであることを特徴とする偽造防止策が施された磁気記録媒体としたものである。
【０００６】
また、請求項２の発明では、基材上に、磁性体を含む磁性インキからなる磁気層と、印刷インキ用メジウムにフレーク状の偏光性顔料を含む偏光性インキからなる偽造防止層とが積層されてなる偽造防止策が施された磁気記録媒体において、前記偏光性顔料が入射した光のうち右回転の一部の偏光を反射する右偏光性顔料と入射した光のうち左回転の一部の偏光を反射する左偏光性顔料が混合されており、かつこれらの顔料はお互いに異なる色相であることを特徴とする偽造防止策が施された磁気記録媒体としたものである。
【０００７】
また、請求項３の発明では、基材上に、磁性体を含む磁性インキからなる磁気層と、印刷インキ用メジウムにフレーク状の偏光性顔料を含む偏光性インキからなる偽造防止層とが積層されてなる偽造防止策が施された磁気記録媒体において、前記偏光性顔料が入射した光のうち右回転の一部の偏光を反射する右偏光性顔料と入射した光のうち左回転の一部の偏光を反射する左偏光性顔料が混合されており、かつこれらの顔料はお互いに同じ色相であることを特徴とする偽造防止策が施された磁気記録媒体としたものである。
【０００８】
また、請求項４の発明では、上記右偏光性顔料がねじれ軸の回転方向が右巻きの右偏光コレステリック高分子液晶顔料であることを特徴とする請求項１乃至３のいずれかに記載の偽造防止策が施された磁気記録媒体としたものである。
【０００９】
また、請求項５の発明では、上記左偏光性顔料がねじれ軸の回転方向が左巻きの左偏光コレステリック高分子液晶顔料であることを特徴とする請求項１乃至３のいずれかに記載の偽造防止策が施された磁気記録媒体としたものである。
【００１０】
また、請求項６の発明では、上記磁気層と偽造防止印刷層との間に有色系印刷層が施されていることを特徴とする請求項１乃至５のいずれかに記載の偽造防止策が施された磁気記録媒体としたものである。
【００１１】
また、請求項７の発明では、上記磁気層と偽造防止層との間に黒色系印刷層が施されていることを特徴とする請求項１乃至５のいずれかに記載の偽造防止策が施された磁気記録媒体としたものである。
【００１２】
また、請求項８の発明では、上記偽造防止層が文字または模様状に形成され、上記有色系印刷層が該偽造防止層と同じ文字または模様状に形成され、かつ前記偽造防止層及び有色系印刷層が同一箇所に重ねて形成されていることを特徴とする請求項１乃至６のいずれか１項に記載の偽造防止策が施された磁気記録媒体としたものである。
【００１３】
また、請求項９の発明では、上記模様状に形成された偽造防止層の模様が、模様状に形成された有色系印刷層の模様よりも一回り大きいものであることを特徴とする請求項８記載の偽造防止策が施された磁気記録媒体としたものである。
【００１４】
また、請求項１０の発明では、上記磁気層と偽造防止層とが、上記基材を挟むように互いに反対側に設けられていることを特徴とする請求項１乃至９のいずれか１項に記載の偽造防止策が施された磁気記録媒体としたものである。
【００１５】
さらにまた、請求項１１の発明では、上記磁気層と偽造防止層とが、上記基材に対し同じ側に少なくともこの順に積層されていることを特徴とする請求項１乃至９のいずれか１項に記載の偽造防止策が施された磁気記録媒体としたものである。
【００１６】
【発明の実施の形態】
以下本発明の実施の形態を図面を用いて詳細に説明する。
【００１７】
図１は本発明の偽造防止策が施された磁気記録媒体の一実施の形態を示す平面図であり、図２は図１の磁気記録媒体のＸ−Ｘ面の断面図であり、図３は図１の磁気記録媒体上に右回りの真偽判定フィルターを乗せた場合の見え方の概略図であり、図４は図３の現象を断面からみた場合の概略図である。
また、図５は図１の磁気記録媒体上に左回りの真偽判定フィルターを乗せた場合の見え方の概略図であり、図６は図５の現象を断面からみた場合の概略図である。
さらにまた、図７は本発明の偽造防止策が施された磁気記録媒体の他の一実施の形態を示す平面図であり、図８は図７の磁気記録媒体のＡ−Ａ面の断面図であり、図９は図７の磁気記録媒体上に真偽判定フィルターを乗せた場合の見え方の概略図であり、図１０は図９のＺ−Ｚ面の断面図である。
【００１８】
本発明は、例えば図１および図２に示すように、磁気記録媒体１がＰＥＴでなる基材９と、磁気層１０、隠蔽・保護層１１、偽造防止印刷部２よりなり、この偽造防止印刷部２は、右偏光性顔料を含有する偽造防止層１５と有色印刷層１６から構成されているものである。
【００１９】
また、本発明の偽造防止策が施された磁気記録媒体１は、目視角度を変えることにより色の変化が起こる。即ち、例えば図２に示すように自然光１９を受け、偽造防止層１５はＡ視点２０およびＢ視点２１において異なる色を呈し、さらには有色印刷層１６上にある部分においては、色変化が鮮明になるようにしたものである。
【００２０】
また、図３は図１に示した偽造防止印刷部２の上に右回転の真偽判定フィルター３を乗せた場合の見え方の概略図であり、例えば右回転の真偽判定フィルター３を介すると、偽造防止印刷部２は入射光の一部を反射し、右偏光性顔料の色相１７を視認することができるようにした偽造防止策が施された磁気記録媒体１である。
【００２１】
図４は、上記図３の現象を断面図によって模式化したもので、例えば自然光１９が右回りの真偽判定フィルター３を通過することで右回転の光２２、２６となるが、偽造防止層１５は、右偏光性顔料を含有するため、入射してきた右回転の光２２、２６の内、そのねじれピッチに等しい波長の右回転の光２６のみを偽造防止層１５表面で反射し、その反射光Ｃ２３を視認することができるようにした偽造防止策が施された磁気記録媒体１である。
【００２２】
図５は、上記図１に示した磁気記録媒体１の上に左回転の真偽判定フィルター４を乗せた場合の見え方の概略図であり、例えば左回転の真偽判定フィルター４を介すると、偽造防止印刷部２は入射光の全てを透過し、その下層にある有色印刷層の色相１８を視認することができるものである。
【００２３】
また図６は、図５の現象を断面図によって模式化したもので、自然光１９が左回転の真偽判定フィルター４を通過することで左回転の光２４、２７となるが、偽造防止層１５は、右偏光性顔料を含有するため、入射してきた左回転の光２７は全て透過し、その下層にある有色印刷層１６の反射光Ｄ２８を視認することができる。
【００２４】
図７および図８に示す磁気記録媒体５は、ＰＥＴでなる基材９と磁気層１０、隠蔽・保護層１１、偽造防止印刷部６からなり、この偽造防止印刷部６は異なる色相を持つ右偏光性顔料と左偏光性顔料を含有する偽造防止層３０及び有色印刷層３１から構成されているものである。
【００２５】
また、本発明の偽造防止策が施された磁気記録媒体１は、目視角度を変えることにより色の変化が起こる。即ち、図８に示すように自然光２５を受け、偽造防止印刷部６はＥ視点３８およびＦ視点３９において異なる色を呈し、さらには有色印刷層３１上にある部分においては、色変化が鮮明になるようにしたものである。
【００２６】
図９は、図７に示した磁気記録媒体５の上に真偽判定フィルターを乗せた場合の見え方の概略図である。右回転の真偽判定フィルター７を介すると、偽造防止層４２は右偏光性顔料の色相３２を視認することができる。一方、左回転の真偽判定フィルター８を介すると、偽造防止層４２は左偏光性顔料の色相２９を視認することができる。
【００２７】
図１０は、図９の現象を断面図によって模式化したもので、自然光３３が右回転の真偽判定フィルター７を通過することで右回転の光３４、３５となるが、偽造防止層４２は、右偏光性顔料を含有するため、入射してきた右回転の光３４、３５の内、そのねじれピッチに等しい波長の右回転の光３４のみを偽造防止層表面で反射し、その反射光Ｇ４０を視認することができる。一方、左回転の真偽判定フィルター８を自然光３３が通過することで、左回転の光３６、３７となるが、偽造防止層４２は左偏光性顔料も含有するため、入射してきた左回転の光３６、３７の内、そのねじれピッチに等しい波長の左回転の光３７を偽造防止層表面で反射し、その反射光Ｈ４１を視認することができるようにしたものである。
【００２８】
上記右偏光性顔料及び左偏光性顔料の主成分であるコレステリック高分子液晶顔料は、キラル相を有する三次元架橋性液晶物質を配向し、三次元的に架橋し、所望の粒度に粉砕して得られた顔料である。この顔料によって反射した光は円偏光である。
これら液晶性物質の中でも、コレステリック液晶はねじれ構造を有し、そのねじれ軸に沿って、光の屈折率が周期的に変動するため、ピッチに等しい波長の光を選択的に反射する。従って、ピッチを制御することで所望のコレステリック色を作り出すことが可能である。また、ねじれ構造を有する液晶は、各分子が層を成して配置されており、層中で均一に配列されることで、初めてその光学的特性を形成する。この場合、分子は層毎にその優先方向を変えるので、ねじれ構造が生じる。各分子の配向は公知の方法、例えば配向層又は電界又は磁界によって制御できる。また、その固定化の代表的な方法には、キラル相を有する三次元架橋性液晶物質と多官能性重合性化合物を組み合わせ、紫外線照射することで、３次元架橋し、ねじれ構造を固定化でき、コレステリック高分子液晶ができる。
【００２９】
上記コレステリック高分子液晶の出発物質としては、紫外線から赤外線の光の波長に等しいピッチを有するねじれ構造を有する全てのコレステリック液晶物質が好ましい。即ち、キラル相を有する液晶物質はネマチック、スメクチック又はディスコチック構造にキラル物質を加えることで製造できる。キラル物質の種類及び分子量がねじれ構造のピッチ、強いては反射光の波長を決定する。該構造のねじれ方向は左向きでも右向きでも良い。更に、出発物質は重合性基、重縮合性基又は重付加に有効な基を有し、これらの基の内、少なくとも一部は二官能性、三官能性及び多官能性を示し、例えば、メタクリルオキシ基、アクリルオキシ基等を有することが好ましく、３次元架橋性液晶ポリオルガノシロキサンが適当である。
【００３０】
また、上記コレステリック高分子液晶顔料の製造方法は、例えば、３次元架橋性液晶ポリオルガノシロキサンと光重合開始剤の混合溶液を、金属支持体、プラスチック支持体又はガラス支持体上に加温しながらドクターを用いて剪断力を加えながら塗布し、液晶分子を配向させる。次に、液晶層に紫外線を照射し、三次元架橋させる。三次元架橋した液晶層を支持体から剥離し、万能ミル等で粉砕し、フレーク状の顔料を得る。該顔料の大きさは５μｍ〜５ｍｍの粒度を有し、１〜１００μｍ、好ましくは５〜５０μｍの厚さを有する。この支持体は場合により、例えばポリイミド又はポリビニルアルコールから成る配向層を有していても良い。
また、液晶分子の配向方法には、２枚のシート間で剪断することも可能であり、好ましくはポリエチレンテレフタレートを使用する方法もある。
【００３１】
上記偏光性顔料を含む偏光性インキは、その結着剤、分散剤および助剤の種類によりグラビア印刷用、スクリーン印刷用等の各印刷方法用のインキにすることができる。上記コレステリック高分子液晶顔料を１０〜５０重量％含んだインキであることが好ましい。
【００３２】
また、上記右回転の真偽判定フィルター３及び左回転の真偽判定フィルター４は、円偏光板であり、ＰＶＡ延伸フィルムにヨードを吸収させたＰＶＡ−ヨウ素型、二色性染料型、金属または金属化合物含有型、ポリエン型などの高分子多結晶型が考えられ、特にＰＶＡ−ヨウ素型、二色性染料型フィルムが用いられた偏光フィルムに１／４λ波長位相差フィルムを重ねたものであり、位相差を１／４λ分進めるか遅らすかで、右または左の回転方向が決まる。
【００３３】
【実施例】
次に実施例により、本発明を具体的に説明する。
〈実施例１〉
厚さ２５０μｍのＰＥＴ磁気カードの磁気層面の反対面にスクリーン用プロセス墨インキをスクリーン印刷法にて厚さ約２μｍで印刷して、その上に下記［右偏光性顔料を含有する偽造防止層の組成１］からなる偏光性インキＡをスクリーン印刷法にて厚さ約１０μｍで印刷し偽造防止ＰＥＴ磁気カードを得た。
2004358869.tif 000003
【００３４】
得られた偽造防止ＰＥＴ磁気カードを見ると、帯状に光沢のあるインキが印刷されており、特に墨インキの部分はより光沢感があり、さらに目視角度を変えることで、緑色から青色にカラーシフトが確認できた。また、右回転の真偽判定フィルターを通して見ると光沢感のある偽造防止層が視認でき、左回転の真偽判定フィルターを通してみると黒色層が視認できる。以上の様に、ＯＶＩインキ（Ｏｐｔｉｃａｌ  Ｖａｒｉａｂｌｅ  Ｉｎｋ）としての効果と共にフィルターにてさらなる真偽判定ができることより、より一層偽造防止効果が高まった事が確認できた。なお、ＯＶＩインキを本真偽判定フィルターで見ると、左右回転に関係なく黒く見えた。
【００３５】
〈実施例２〉
厚さ１９０μｍの紙磁気券にスクリーン用プロセス墨インキをスクリーン印刷法にて厚さ約２μｍで印刷して、その上に下記［異なる色相を有する右偏光性顔料と左偏光性顔料の混合物を含有する偽造防止層の組成］からなる偏光性インキＢをスクリーン印刷法にて厚さ約１０μｍで印刷し偽造防止紙磁気券を得た。
2004358869.tif 000004
【００３６】
得られた偽造防止紙磁気券を見ると、帯状に光沢のあるインキが印刷されており、特に墨インキの部分はより光沢感があり、さらに目視角度を変えることで、赤色から青色にカラーシフトが確認できた。また、右回転の真偽判定フィルターを通して見ると光沢感のある赤色の偽造防止層が視認でき、左回転の真偽判定フィルターを通してみると光沢感のある青色の偽造防止層が視認できる。以上の様に、ＯＶＩインキとしての効果と共にフィルターにてさらなる真偽判定ができることより、より一層偽造防止効果が高まった事が確認できた。なお、ＯＶＩインキを本真偽判定フィルターで見ると、左右回転に関係なく黒く見えた。
【００３７】
〈実施例３〉
厚さ１９０μｍの紙磁気券にスクリーン用プロセス藍インキをスクリーン印刷法にて厚さ約２μｍで印刷して、その上に下記［同じ色相を有する右偏光性顔料と左偏光性顔料の混合物を含有する偽造防止層の組成］からなる偏光性インキＣをスクリーン印刷法にて厚さ約１０μｍで印刷し偽造防止紙磁気券を得た。
2004358869.tif 000005
【００３８】
得られた偽造防止紙磁気券を見ると、帯状に光沢のあるインキが印刷されており、特に藍インキの部分はより光沢感があり、さらに目視角度を変えることで、緑色から青色にカラーシフトが確認できた。また、右回転の真偽判定フィルターを通して見ると光沢感のある緑色の偽造防止層が視認でき、左回転の真偽判定フィルターを通してみると光沢感のある緑色の偽造防止層が視認できる。以上の様に、ＯＶＩインキとしての効果と共にフィルターにてさらなる真偽判定ができることより、より一層偽造防止効果が高まった事が確認できた。なお、ＯＶＩインキを本真偽判定フィルターで見ると、左右回転に関係なく黒く見えた。
【００３９】
【発明の効果】
以上述べたように、本発明は、コレステリック高分子液晶をある色相にて固定した後破砕して得られた２種類の光学的特性を有する顔料を用いて偏光性インキ並びに磁気記録媒体が得られ、ＯＶＩインキ（Ｏｐｔｉｃａｌ  Ｖａｒｉａｂｌｅ  Ｉｎｋ）と同様の効果である目視角度によるカラーシフトを生じ、更に、２種類の真偽判定フィルターを用いて真偽判定ができるという２重に確認できる真偽判定効果があるため、セキュリティ性の低い全面塗布タイプの磁気記録媒体に偽造防止用の偏光性インキによる印刷を施すことにより、磁気塗工方法やシステム・運用方法によって偽造防止を図っていた従来の磁気記録媒体より、簡易に検証でき、偽造が困難な偽造防止策が施された磁気記録媒体とする効果がある。
【００４０】
従って本発明は、商品券、金券、切符、紙幣、パスポート、身分証明書、証券、カード等の如き偽造防止策が施された磁気記録媒体として、優れた実用上の効果を発揮する。
【図面の簡単な説明】
【図１】本発明の偽造防止策が施された磁気記録媒体の一実施の形態を示す平面図である。
【図２】本発明の偽造防止策が施された磁気記録媒体の一実施の形態を示すもので、図１のＸ−Ｘ面の断面図である。
【図３】図１に示す本発明の偽造防止策が施された磁気記録媒体に、右回りの真偽判定フィルターを乗せた時の平面図である。
【図４】図３に示す本発明の偽造防止策が施された磁気記録媒体の見え方の現象を断面で表した説明図である。
【図５】図１に示す本発明の偽造防止策が施された磁気記録媒体に、左回りの真偽判定フィルターを乗せた時の平面図である。
【図６】図５に示す本発明の偽造防止策が施された磁気記録媒体の見え方の現象を断面で表した説明図である。
【図７】本発明の偽造防止策が施された磁気記録媒体の他の一実施の形態を示す平面図である。
【図８】本発明の偽造防止策が施された磁気記録媒体の他の一実施の形態を示すもので、図７のＹ−Ｙ面の断面図である。
【図９】図７に示す本発明の偽造防止策が施された磁気記録媒体に、真偽判定フィルターを乗せた時の平面図である。
【図１０】図９のＺ−Ｚ面の断面図である。
【符号の説明】
１、５‥‥磁気記録媒体
２、６‥‥偽造防止印刷部
３、７‥‥右回転の真偽判定フィルター
４、８‥‥左回転の真偽判定フィルター
９、１２‥‥基材
１０、１３‥‥磁気層
１１、１４‥‥隠蔽・保護層
１５、３０、４２‥‥偽造防止層
１６、３１、４３‥‥有色印刷層
１７、３２‥‥右偏光性顔料の色相
１８‥‥有色印刷層の色相
１９、２５、３３‥‥自然光
２０‥‥反射光Ａ（Ａ視点）
２１‥‥反射光Ｂ（Ｂ視点）
２２、２６、３４、３５‥‥右回転の入射光
２３‥‥反射光Ｃ
２４、２７、３６、３７‥‥左回転の入射光
２８‥‥反射光Ｄ
２９‥‥左偏光性顔料の色相
３８‥‥反射光Ｅ（Ｅ視点）
３９‥‥反射光Ｆ（Ｆ視点）
４０‥‥反射光Ｇ
４１‥‥反射光Ｈ
【図１】
2004358869.tif 000006
【図２】
2004358869.tif 000007
【図３】
2004358869.tif 000008
【図４】
2004358869.tif 000009
【図５】
2004358869.tif 000010
【図６】
2004358869.tif 000011
【図７】
2004358869.tif 000012
【図８】
2004358869.tif 000013
【図９】
2004358869.tif 000014
【図１０】
2004358869.tif 000015